(57)【要約】【課題】フォーカスサーボやトラッキングサーボをかける前段階の処理で、ＤＶＤ−ＲＡＭディスクに固有のアドレスピットの反射率がデータ部と差異を持つことを利用し、より高精度にかつ高速性を持った、光ディスクの判別装置を提供するものである。【解決手段】光ディスクにレーザーを照射させ反射光を受光する光ピックアップ、光ピックアップをフォーカス方向に駆動するピックアップ駆動手段、光ピックアップが受光した反射光から全反射加算信号を発生させる全反射加算信号発生手段、全反射加算信号発生手段の出力信号のピーク値とボトム値を検出する全反射加算信号ピーク・ボトム検出手段、全反射加算信号ピーク・ボトム検出手段の出力からディスクの判別を行うディスク判別手段とで構成される。【選択図】図１
2005038514.tif 000002
【特許請求の範囲】
【請求項１】
光ディスクにレーザーを照射させ反射光を受光する光ピックアップと、前記光ピックアップをフォーカス方向に駆動するピックアップ駆動手段と、前記光ピックアップが受光した反射光から全反射加算信号を発生させる全反射加算信号発生手段と、前記全反射加算信号発生手段の出力信号のピーク値とボトム値を検出する全反射加算信号ピーク・ボトム検出手段と、前記全反射加算信号ピーク・ボトム検出手段の出力からディスクの判別を行うディスク判別手段を備え、前記ピックアップ駆動手段で前記光ピックアップをフォーカス方向にスイープし、前記スイープ中の前記全反射加算信号ピーク・ボトム検出手段の出力からアドレスピットの有無を判断し、光ディスクの種類を判別することを特徴とする光ディスク判別装置。
【請求項２】
データ記録部とアドレスピット部の前記全反射加算信号ピーク値とボトム値を検出し、アドレスピットの有無から光ディスクの種類を判別することを特徴とする請求項１記載の光ディスク判別装置。
【請求項３】
ディスク停止中の前記全反射加算信号ピーク値とボトム値を検出し、ディスク停止中の前記全反射加算信号出力からアドレスピットの有無を判断する基準レベルを決定し、ディスク回転中の前記全反射加算信号出力と基準レベルを比較することで、アドレスピットの有無を判断し、光ディスクの種類を判別することを特徴とする、前記光ディスクを回転する光ディスク回転駆動手段を備えた請求項１及び請求項２記載の光ディスク判別装置。
【請求項４】
ディスク回転中に前記ピックアップ駆動手段で前記光ピックアップをフォーカス方向に複数回スイープし、前記複数回スイープした前記全反射加算信号ピーク値とボトム値を検出し、前記複数回スイープした前記全反射加算信号出力からアドレスピットの有無を判断する基準レベルを決定し、前記複数回スイープした前記全反射加算信号出力と基準レベルを比較することで、アドレスピットの有無を判断し、光ディスクの種類を判別することを特徴とする、請求項３記載の光ディスク判別装置。
【発明の詳細な説明】
【技術分野】
【０００１】
本発明は、アドレスピットを有する光ディスク、より具体的にはＤＶＤ−ＲＡＭ等、データ記録トラックに対しアドレスピットを設けられた光ディスク記録媒体のディスク判別に関するものである。
【背景技術】
【０００２】
近年、画像等の大容量の情報をデジタル記録する媒体として注目されているものに光ディスクがある。光ディスクはランダムアクセス性、媒体交換性、収納性等において総合的に他の磁気テ−プや磁気ディスク等の媒体に比べ優れている。こうした光ディスクの中で、近年相変化技術を利用した書き換え可能な光ディスクであるＤＶＤ−ＲＡＭが存在する。
【０００３】
従来、ＤＶＤ−ＲＡＭの判別装置及びその方法は特開２０００−２８５５８２号に記載されたものが知られている。図７は従来のＤＶＤ−ＲＡＭの判別装置を示すブロック図である。図７において、光ディスク７０１を一つの光ピックアップ７０２で再生できる光ディスク再生装置において、ロードされた光ディスク７０１から読み出したＲＦ信号を増幅するＲＦアンプ７０３と、前記ＲＦアンプ７０３からエンベロープ信号を検出するＲＦエンベロープ発生手段７０４と、オフ−トラック状態で前記ＲＦエンベロープ発生手段７０４を通じて検出されたエンベロープ信号の振幅を検出するエンベロープ検出手段７０５、検出された振幅を利用してディスク種類を判別するディスク判別手段７０６で構成されている。
【０００４】
次に図８を用いて、ディスク判別手段７０６で検出するＲＦ信号の波形と判別方法を説明する。ＲＦ信号（ａ）、（ｂ）、（ｃ）はそれぞれフォーカス引き込み後でオフトラック状態のＣＤ−ＲＯＭ、ＤＶＤ−ＲＯＭ、ＤＶＤ−ＲＡＭのものである。また、それぞれの振幅Ｅ１、Ｅ２、Ｅ３がエンベロープ信号となる。エンベロープ信号の差はＣＤがＤＶＤ−ＲＯＭに比べて相対的にトラックピッチが大きいためにＤＶＤ−ＲＯＭに比べてＲＦ信号の振幅変化が大きく、ＤＶＤ−ＲＡＭはＲＦ信号の振幅変化がほとんどないことに起因する。このエンベロープ信号の差に着目し、各種ディスクが判別できるように第１・第２基準レベル設定する。ディスク起動時にフォーカスを合焦点位置に引き込ませ、オフトラック状態時のエンベロープ信号が、第１基準レベルより高いディスクはＣＤ−ＲＯＭ、第１基準レベルより低く第２基準レベルより高いディスクはＤＶＤ−ＲＯＭ、第２基準レベルより低いディスクはＤＶＤ−ＲＡＭと判別することができる。
【０００５】
この他の従来の方法としては、フォーカスを引き込ませる前に、ピックアップを上下させることによってディスクを判別する方法が知られている。ディスクを回転させ、レーザーが点灯している状態で合焦点位置がディスクの記録面を横切るようにピックアップを上下させる。この時のディスクの全反射加算信号やＲＦ信号のエンベロープ信号を読み取り、その信号レベルによってディスクの種類を判別することができる。
【特許文献１】特開２０００−２８５５８２号公報
【発明の開示】
【発明が解決しようとする課題】
【０００６】
しかしながら、近年は数多くの種類の光ディスクが市場に出回っており、特にＣＤ−ＲＷやＤＶＤ−ＲＷ等の相変化技術を利用した書き換え可能な光ディスクは概して反射光量が少なく、上記従来の技術ではＤＶＤ−ＲＡＭとの判別が困難である。起動時のディスク判別を誤ると、再起動に無駄な時間がかかり、場合によっては起動できない、もしくはディスクを傷つけるという不具合を引き起こす可能性がある。また、市場では起動時間の高速化のニーズがあり、このような判別の困難な光ディスクの判別装置においては、ディスク判別の正確性と高速化が必要とされている。
【０００７】
本発明は上記従来の問題点を解決するもので、ＤＶＤ−ＲＡＭディスクに固有のアドレスピットの反射率がデータ部と差異を持つことを利用して、より高レベルな正確性と高速性を持った、光ディスクの判別装置を提供するものである。
【課題を解決するための手段】
【０００８】
この課題を解決するために本発明の光ディスクの判別装置は、前記光ディスクにレーザーを照射させ反射光を受光する光ピックアップと、前記光ピックアップをフォーカス方向に駆動するピックアップ駆動手段と、前記記光ディスクを回転する光ディスク回転駆動手段と、前記光ピックアップが受光した反射光から全反射加算信号を発生させる全反射加算信号発生手段と、前記全反射加算信号発生手段の出力信号のピーク値とボトム値を検出する全反射加算信号ピーク・ボトム検出手段と、前記全反射加算信号ピーク・ボトム検出手段の出力からディスクの判別を行うディスク判別手段を備え、前記全反射加算信号ピーク・ボトム検出手段の出力からデータ記録部とアドレスピット部の前記全反射加算信号ピーク値とボトム値を検出し、アドレスピットの有無から光ディスクの種類を判別することを特徴とする光ディスクの判別装置を構成したものである。この構成により、従来の装置で判別が困難であった低反射の光ディスク群からアドレスピットを有する光ディスクをより正確に、かつ高速で判別可能な判別装置が得られる。
【発明の効果】
【０００９】
以上のように本発明によれば、従来に比べて判別が困難であったＤＶＤ−ＲＡＭやＤＶＤ‐ＲＷ、ＣＤ−ＲＷ等の低反射の相変化光ディスク群から、高反射率のアドレスピットを有するＤＶＤ−ＲＡＭの光ディスクをより正確に、かつ高速で判別可能にするという有利な効果が得られる。
【発明を実施するための最良の形態】
【００１０】
本発明の請求項１に記載の発明は、光ディスクにレーザーを照射させ反射光を受光する光ピックアップと、前記光ピックアップをフォーカス方向に駆動するピックアップ駆動手段と、前記光ディスクを回転する光ディスク回転駆動手段と、前記光ピックアップが受光した反射光から全反射加算信号を発生させる全反射加算信号発生手段と、前記全反射加算信号発生手段の出力信号のピーク値とボトム値を検出する全反射加算信号ピーク・ボトム検出手段と、前記全反射加算信号ピーク・ボトム検出手段の出力からディスクの判別を行うディスク判別手段を備え、前記全反射加算信号ピーク・ボトム検出手段の出力からデータ記録部とアドレスピット部の前記全反射加算信号ピーク値とボトム値を検出し、アドレスピットの有無から光ディスクの種類を判別することを特徴とする光ディスクの判別装置であり、従来の判別法に比べて判別が困難であった低反射の光ディスク群からアドレスピットを有する光ディスクをより正確に、かつ高速で判別可能にする作用を有する。
【００１１】
まず、ＤＶＤ−ＲＡＭディスクに固有のアドレスピットについて説明する。アドレスピットとは、通常ＣＡＰＡ（Ｃｏｍｐｌｉｍｅｎｔａｒｙ  Ａｌｌｏｃａｔｅｄ  Ｐｉｔ  Ａｄｄｒｅｓｓ）もしくはヘッダ部とも呼ばれ、データトラックにあらかじめ形成されたアドレス部をいう。ＤＶＤ−ＲＡＭディスクはセクタフォーマット構造をとっており、図６のようにデータ部６０１と、アドレス部６０２に物理的に分離されている。データ部は突形状のランド６０３と、溝形状のグルーブ６０４から成り立っており、ランド６０３、あるいはグルーブ６０４のトラックに沿って情報の記録が行われる。記録には相変化記録方式が用いられており、ビット情報を媒体材料の結晶／非結晶状態に対応させて記録し、結晶状態に応じて反射光量が変化することから情報の読み取りを行う。アドレス部はアドレスピット６０５で形成されており、回折により反射光量変化が得られることから記録情報の読み取りを行う。アドレスピット６０５は、ランド６０３、グルーブ６０４のトラックの中間位置で交互に位置を変えて形成される。レーザースポットがランド６０３を走査する時と、グルーブ６０４を走査する時とでは、アドレスピット６０５による回折の受け方が異なるため、これを検出してアドレスの位置判定，ランド・グルーブ判定等に用いられる。以上の構成により、ＤＶＤ−ＲＡＭでは、ランダム記録・再生、未記録ディスクのデータ領域へのアクセス、データ書き換え時のデータロスの防止、及びデータトラックのセンター検出等を可能にしている。また、ＤＶＤ−ＲＡＭのアドレスピットはディスクが作成された時に記録され、それ以降は書き換え不能の領域である。ランドやグルーブのデータ部の相変化媒体材料とは違う材質を使っており、ＤＶＤ−ＲＯＭに近い材質で、反射率も高くなっている。そのためＤＶＤ−ＲＡＭを記録再生するには、アドレスピットでの高反射信号のオフセットをキャンセルする特殊な処理が必要である。これがＤＶＤ−ＲＡＭの互換性をなくしている要因の一つだが、本発明はこのアドレスピットの高反射率を利用する。
【００１２】
これに対して、ＤＶＤ−ＲＷでは、アドレスピットに代わるものとして、ＬＰＰ（Ｌａｎｄ  Ｐｒｅ  Ｐｉｔ）がある。ＤＶＤ‐ＲＷはランドとグルーブが交互に存在しており、データ信号はグルーブに記録されている。ＬＰＰは、データ信号がない、グルーブと同じ反射率を有するランドに記録されており、記録時にはアドレスピットと同様の働きをするが、ＤＶＤ−ＲＡＭディスクのアドレスピットと異なり、再生時は読まれない。
【００１３】
また、ＣＤ−ＲＷでは、ＡＴＩＰ（Ａｂｓｏｌｕｔｅ  Ｔｉｍｅ  ｉｎ  Ｐｒｅｇｒｏｏｖｅ）と呼ばれる方式を採用しており、データトラックの蛇行（ウォブル）に含まれる時間コード情報がアドレスに相当する。したがって、ＣＤ−ＲＷディスクには、ＤＶＤ−ＲＡＭディスクのアドレスピットに相当するようなアドレス領域がない。
【００１４】
以下本発明の実施の形態について、図１から図５を用いて説明する。
【００１５】
（実施の形態１）
図１は実施の形態１におけるアドレスピットを有する光ディスクの判別装置のブロック図である。
【００１６】
図１に示す判別装置は、光ディスク１０１、前記光ディスクにレーザーを照射させ反射光を受光する光ピックアップ１０２、前記光ピックアップをフオ−カス方向に駆動するピックアップ駆動手段１０３と、前記光ディスクを回転する光ディスク回転駆動手段１０４と、前記光ピックアップ２が受光した反射光から全反射加算信号を発生させる全反射加算信号発生手段１０５、前記全反射加算信号のピーク値とボトム値を検出する全反射加算信号ピーク・ボトム検出手段１０６、前記全反射加算信号のピーク値とボトム値から光ディスク１の種類を判別するディスク判別手段１０７とで構成される。
【００１７】
以上のように構成された光ディスクの判別装置について、図２，図３を用いてその動作について説明する。
【００１８】
図２は実施の形態１における光ディスクの判別装置での光ディスク判別方法を示したフローチャートである。図２に示すステップ２０１では、前記光ピックアップ１０２を前記ピックアップ駆動手段１０３によりフォーカス方向にスイープさせながら、前記全反射加算信号ピーク・ボトム検出手段１０６によりディスク停止中の全反射加算信号ピーク・ボトム検出を行う。ステップ２０２では、ステップ２０１で検出したディスク停止中の全反射加算信号のピーク値とボトム値の差分量（Ａ１）を取り込む。ステップ２０３では、ステップ２０２で取り込んだディスク停止中の全反射加算信号のピーク値とボトム値の差分量（Ａ１）を元にアドレスピットの有無を判断する基準レベルを決定する。ステップ２０４では、前記光ディスク回転手段１０４により前記光ディスク１０１を回転させる。ステップ２０５では、ステップ２０１と同様の処理を行い、ディスク回転中の全反射加算信号ピーク・ボトム検出を行う。ステップ２０６では、ステップ２０５で検出したディスク回転中の全反射加算信号のピーク値とボトム値の差分量（Ａ２）を取り込む。ステップ２０７では、前記ディスク判別手段１０７においてステップ２０６で取り込んだディスク回転中の全反射加算信号のピーク値とボトム値の差分量（Ａ２）とアドレスピットの有無を判断する基準レベルを比較し、（Ａ２）が基準レベル以上であればアドレスピットを有する光ディスクと判別する。
【００１９】
図３の（ａ）はＣＤやＤＶＤ−ＲＯＭ、ＤＶＤ‐ＲＷ等のアドレスピットを有しない光ディスクの全反射加算信号であり、図１の全反射加算信号発生手段１０５の出力がこれに相当し、（ａ−１）はディスク停止中の全反射加算信号、（ａ−２）はディスク回転中の全反射加算信号を示す。この信号を全反射加算信号ピーク・ボトム検出手段１０６に入力し、全反射加算信号のピーク値とボトム値を検出する。ディスク判別手段１０７は、ディスク停止中の全反射加算信号のピーク値とボトム値の差分量（Ａ１）を元に決定されたアドレスピットの有無を判断する基準レベルと、ディスク回転中の全反射加算信号のピーク値とボトム値の差分量（Ａ２）を比較する。図３の（ｂ）はＤＶＤ−ＲＡＭ等のアドレスピットを有する光ディスクの全反射加算信号であり、（ｂ−１）はディスク停止中の全反射加算信号、（ｂ−２）はディスク回転中の全反射加算信号を示す。（ａ）と同様にピーク値とボトム値を検出して基準レベルと比較する。ピーク値とボトム値の差分量（Ａ２）が基準レベルを上回れば、アドレスピットを有する光ディスクと判別する。
【００２０】
アドレスピットの有無判別により、従来の判別法では誤判別しやすいＤＶＤ−ＲＡＭやＤＶＤ‐ＲＷ、ＣＤ−ＲＷ等の低反射の相変化ディスクからＤＶＤ−ＲＡＭを判別する。
【００２１】
以上のように本実施の形態によれば、従来の判別法に比べて判別が困難であった低反射の相変化光ディスク群からアドレスピットを有する光ディスクをより正確に、かつ高速で判別可能にする作用を有する。
【００２２】
（実施の形態２）
図１は実施の形態２におけるアドレスピットを有する光ディスクの判別装置のブロック図である。図１に示す判別装置は、実施形態１と同様の構成である。
【００２３】
以上のように構成された光ディスクの判別装置について、図４，図５を用いてその動作について説明する。
【００２４】
図４は実施の形態２における光ディスクの判別装置での光ディスク判別方法を示したフローチャートである。図４に示すステップ４０１では、前記光ディスク回転手段１０４により前記光ディスク１０１を回転させる。ステップ４０２では、後のステップ４０３・４０４で行うデータ取得の回数ｎ（最低２回以上）を設定する。ステップ４０３では、前記光ピックアップ１０２を前記ピックアップ駆動手段１０３によりフォーカス方向にスイープさせながら、前記全反射加算信号ピーク・ボトム検出手段１０６により全反射加算信号ピーク・ボトム検出を行う。ステップ４０４では、ステップ４０３で検出した全反射加算信号のピーク値とボトム値の差分量（Ｂ１）を取り込む。ステップ４０５では、ステップ４０２で設定されたデータ取得の回数ｎを満たすまでステップ４０３・４０４でのデータ取得を繰返す。その際に取得した全反射加算信号のピーク値とボトム値の差分量は、１回目の測定値は（Ｂ１）、２回目は（Ｂ２）、３回目は（Ｂ３）・・・・ｎ回目は（Ｂｎ）とする。ステップ４０６では、ステップ４０５までに取得した全反射加算信号のピーク値とボトム値の差分量を元にアドレスピットの有無を判断する基準レベルを決定する。ステップ４０７では、前記ディスク判別手段１０７においてステップ４０５までに取得した全反射加算信号のピーク値とボトム値の差分量（Ｂ１）（Ｂ２）・・・・（Ｂｎ）とアドレスピットの有無を判断する基準レベルを比較し、（Ｂ１）（Ｂ２）・・・・（Ｂｎ）の取得値が任意の数（１つ以上）基準レベルを上回ればアドレスピットを有する光ディスクと判別する。
【００２５】
図５の（ａ）はＣＤやＤＶＤ−ＲＯＭ、ＤＶＤ‐ＲＷ等のアドレスピットを有しない光ディスクの全反射加算信号であり、図１の全反射加算信号発生手段１０５の出力がこれに相当する。この信号を全反射加算信号ピーク・ボトム検出手段１０６に入力し、全反射加算信号のピーク値とボトム値を検出する。ディスク判別手段１０７は、全反射加算信号のピーク値とボトム値の差分量（Ｂ１）（Ｂ２）・・・・（Ｂｎ）を元に決定されたアドレスピットの有無を判断する基準レベルと、（Ｂ１）（Ｂ２）・・・・（Ｂｎ）を比較する。図５の（ｂ）はＤＶＤ−ＲＡＭ等のアドレスピットを有する光ディスクの全反射加算信号であり、（ａ）と同様にピーク値とボトム値を検出して基準レベルと比較する。ピーク値とボトム値の差分量（Ｂ１）（Ｂ２）・・・・（Ｂｎ）が基準レベルを任意の数（１つ以上）上回れば、アドレスピットを有する光ディスクと判別する。
【００２６】
以上のように本実施の形態によれば、実施の形態１に比べて多くの全反射加算信号を元にアドレスピットの有無を判断する基準レベルを決定できるので、より正確にアドレスピットを有する光ディスクを判別可能にする作用を有する。
【００２７】
なお、相変化型ではない光ディスク（ＤＶＤ−ＲＯＭ・ＣＤ−ＲＯＭ・ＤＶＤ−Ｒ・ＣＤ−Ｒなど）の場合には、本発明の全反射加算信号発生手段の出力は、ＤＶＤ−ＲＷ・ＣＤ−ＲＷと同様に常に同じような大きさの信号になる。ただ、両者の反射量の明らかな違いで生じる、全反射加算信号発生手段の出力の大きな差から、相変化型ではない光ディスク群とＤＶＤ−ＲＷ・ＣＤ−ＲＷとを判別できる。
【産業上の利用可能性】
【００２８】
本発明にかかる光ディスクの判別装置は、相変化型ではない光ディスク（ＤＶＤ−ＲＯＭ・ＣＤ−ＲＯＭ・ＤＶＤ−Ｒ・ＣＤ−Ｒなど）の場合には、本発明の全反射加算信号発生手段の出力は、ＤＶＤ−ＲＷ・ＣＤ−ＲＷと同様に常に同じような大きさの信号になる。ただ、両者の反射量の明らかな違いで生じる、全反射加算信号発生手段の出力の大きな差から、相変化型ではない光ディスク群とＤＶＤ−ＲＷ・ＣＤ−ＲＷとを判別できる。
【図面の簡単な説明】
【００２９】
【図１】実施の形態１に係わる光ディスクの判別装置のブロック図
【図２】実施の形態１に係わる光ディスクの判別動作を説明するフローチャート
【図３】実施の形態１に係わる光ディスクの判別基準を説明する波形図
【図４】実施の形態２に係わる光ディスクの判別動作を説明するフローチャート
【図５】実施の形態２に係わる光ディスクの判別基準を説明する波形図
【図６】ＤＶＤ−ＲＡＭの記録様式を説明するための模式図
【図７】従来の光ディスク判別装置のブロック図
【図８】従来の光ディスク判別装置の光ディスクの判別基準を説明する波形図
【符号の説明】
【００３０】
１０１    光ディスク
１０２    光ピックアップ
１０３    ピックアップ駆動手段
１０４    光ディスク回転手段
１０５    全反射加算信号発生手段
１０６    全反射加算信号ピーク・ボトム検出手段
１０７    ディスク判別手段
６０１    データ部
６０２    アドレス部
６０３    ランド
６０４    グルーブ
６０５    アドレスピット
６０６    マーク
７０１    光ディスク
７０２    光ピックアップ
７０３    ＲＦアンプ
７０４    ＲＦエンベロープ発生手段
７０５    エンベロープ検出手段
７０６    ディスク判別手段
【図１】
2005038514.tif 000003
【図２】
2005038514.tif 000004
【図３】
2005038514.tif 000005
【図４】
2005038514.tif 000006
【図５】
2005038514.tif 000007
【図６】
2005038514.tif 000008
【図７】
2005038514.tif 000009
【図８】
2005038514.tif 000010